(57)【要約】【課題】コンピュータ筐体内部において便利に電子部材を組み込んだり取り外したりでき、従来技術の組み込みの問題を解決する、展開可能なコンピュータ筐体の提供。【解決手段】コンピュータ筐体であって、第一殼体１、第二殼体２及び枢着構造を含み、前記第二殼体２は前記枢着構造により回動可能に前記第一殼体１に連結され、これにより、前記第二殼体２を回動させて開き、前記第一殼体１に組み込み空間２Ａを作り出すことができ、前記枢着構造は２つの軸孔３０及び２つの軸部３２を含み、前記２つの軸孔３０は同軸を成し、且つ前記第一殼体１の側辺部の両端にそれぞれ設けられ、前記２つの軸部３２は前記第二殼体２の側縁部の両端にそれぞれ設けられ、且つ、前記２つの軸孔３０に対応し、前記２つの軸部３２を同方向に前記２つの軸孔３０内にそれぞれ挿入することができる。【選択図】図１
2007323519.tif 000002
【特許請求の範囲】
【請求項１】
第一殻体、第二殻体、枢着構造を含み、前記第一殼体が相対する第一側面板及び第二側面板を備え、前記第一側面板の一端に切欠部が設けられ、前記第二殼体が前記枢着構造により前記第一殼体に連結され、前記第二殼体を第一位置及び第二位置へ回動させることができ、且つ、前記第二殼体が前面板及び背面板を含み、そのうち、前記第二殼体が前記第二位置にあるとき、前記第二殼体が組み込み空間を作り出すことができ、前記第二殼体が前記第一位置にあるとき、前記第二殼体が前記組み込み空間を埋め、且つ、前記第二殼体の前記前面板が前記第一殼体の前記切欠部を塞ぎ、前記枢着構造が２つの軸孔及び２つの軸部を含み、前記２つの軸孔が同軸を成し、且つ、前記第一殼体の側辺部の両端にそれぞれ設けられ、前記２つの軸部が前記第二殼体の側縁部の両端にそれぞれ設けられ、且つ、前記２つの軸部が同方向に前記２つの軸孔内にそれぞれ挿入させることができる、コンピュータ筐体。
【請求項２】
前記２つの軸部のうちいずれかの軸部内部にネジ孔を設けた、請求項１に記載のコンピュータ筐体。
【請求項３】
前記第一殼体の第二側面板が排気口を備え、且つ、前記第二殼体の背面板が開口を備え、前記第二殼体が前記第一位置にあるとき、前記開口が前記排気口に重なる、請求項１または２に記載のコンピュータ筐体。
【発明の詳細な説明】
【技術分野】
【０００１】
本発明はコンピュータ筐体の組み立て技術に関し、詳細には、展開が可能なコンピュータ筐体に関する。
【背景技術】
【０００２】
一般的なコンピュータ筐体は空間を充分に利用するため、周辺設備（例：光ディスクドライブ、ハードディスクドライブ或はフレキシブルディスクドライブ等）や電源供給器をマザーボードの上方に組み込んでおり、マザーボードの組み込みが難しいという問題を引き起こしているが、現在この問題を解決し、後続のメンテナンスやグレードアップの利便性を追求するため、多くのコンピュータ筐体が、台湾特許出願第０９１２２１５４８号に示される「回転式取り付け部を備えたコンピュータ筐体」のように、回転開閉式の取り付け部を前記コンピュータ筐体内部に設けて周辺設備を組み込むものや、台湾特許出願第０８９２２１８３３号に示される「回転式コンピュータ部材固定枠体」、或いは電源供給器の設置のためのアメリカ特許第６３３０１６１号の回転着脱式の電源供給器（ROTATABLE REMOVABLE COMPUTER POWER SUPPLY）といったものが提供されており、これら従来のコンピュータ筐体は基本的に本体及び回転取り付け部を含み、この回転取り付け部は回転させて開くことができ、そこに周辺設備や電源供給器を取り付けることで前記本体内部にこれら装置を組み込み、一部の空間に関わる問題を解決している。
【０００３】
しかしながら、これら従来のコンピュータ筐体の製造過程においては、別途特に前記回転取り付け部を製作する必要があるため、材料コストが高くなり、さらに、前記回転取り付け部の回転と本体への接続を安定させるため、複雑な枢着構造と位置決め構造が必要となり、さらには、これら複雑な設計がコンピュータの組み立てを行う際組み立て業者にとって却って不便になってしまうことさえある。
【特許文献１】台湾特許出願第０９１２２１５４８号明細書
【特許文献２】台湾特許出願第０８９２２１８３３号明細書
【特許文献３】アメリカ特許第６３３０１６１号明細書
【発明の開示】
【発明が解決しようとする課題】
【０００４】
本発明の主な目的は、コンピュータの使用者が便利にコンピュータ筐体内部において電子部材を組み込んだり取り外したりすることができ、従来技術における組み込みの問題を解決する、展開可能なコンピュータ筐体を提供することにある。
【課題を解決するための手段】
【０００５】
最良の実施例において、本発明のコンピュータ筐体は第一殼体、第二殼体及び枢着構造を含み、前記第一殼体は相対する第一側面板及び第二側面板を含み、前記第一側面板の一端に切欠部が設けられ、前記第二殼体は前記枢着構造により前記第一殼体に連結され、前記第二殼体は回転して第一位置及び第二位置へと移動でき、且つ、前記第二殼体は前面板及び背面板を含み、そのうち、前記第二殼体が前記第二位置にあるとき、前記第二殼体が組み込み空間を作り出し、前記第二殼体が前記第一位置にあるとき、前記第二殼体が前記組み込み空間を埋め、且つ、前記第二殼体の前記前面板が前記第一殼体の前記切欠部をふさぐ。
【０００６】
前記枢着構造は２つの軸孔及び２つの軸部を含み、前記２つの軸孔は同軸を成し、且つそれぞれ前記第一殼体の側辺部の両端に設置され、前記２つの軸部は前記第二殼体の側縁部の両端に設置され、且つ、前記２つの軸孔に対応し、且つ、前記２つの軸部は同方向に前記２つの軸孔内にそれぞれ挿入することができる。
【発明の効果】
【０００７】
このため、前述の簡単な枢着構造により、従来技術における構造が複雑であるという問題を解決することができ、組み立て人員は第二殼体を第一殼体上に迅速に組み込むという目的を達することができる。このほか、前記第二殼体はそのものがコンピュータ筐体の一部分であり、従来技術における前記回転取り付け部を別途製造する必要がない。
【発明を実施するための最良の形態】
【０００８】
図１に本発明のコンピュータ筐体の最良の実施例を示す。本発明のコンピュータ筐体は第一殼体１、第二殼体２、枢着構造を含む。
【０００９】
前記第一殼体１は相対する第一側面板１０及び第二側面板１２、及びマザーボード（図面には表示しない）を設置する底板１４を備え、前記第一側面板１０は一端に切欠部１１を備え、前記第二殼体２は前記枢着構造により前記第一殼体１に連結され、前記第二殼体２を第一位置（図２に示す）及び第二位置（図４に示す）へ回動させることができる。
【００１０】
前記第二殼体２は前面板２０及び背面板２２を備え、そのうち、前記第二殼体２が前記第二位置にあるとき、前記第二殼体が組み込み空間２Ａを作り出し、前記第二殼体２が前記第一位置にあるとき、前記第二殼体２が前記組み込み空間２Ａを埋め、且つ、前記第二殼体２の前記前面板が前記第一殼体１の前記切欠部１１をふさぐ。
【００１１】
先行技術と異なる点は、前記第一殼体１と前記第二殼体２が組み立てられて前記コンピュータ筐体の全体を成し、前記第二殼体２は従来の回転取り付け部のように別途前記全体の内部に設置されるのではない点である。さらに、図４に示すように前記第二殼体２を前記第二位置に移動させ前記組み込み空間２Ａを作り出すだけで、コンピュータ使用者は簡単且ついかなる阻害もなくマザーボードまたはその他部材の後続的メンテナンスやグレードアップを行うことができる。
【００１２】
図１及び図３に示すように、前記枢着構造は２つの軸孔３０及び２つの軸部３２を含み、前記２つの軸孔３０は同軸を成し且つそれぞれ前記第一殼体１の側辺部１５の両端に設置され、前記２つの軸部３２は前記第二殼体２の側縁部２４の両端にそれぞれ設置され、且つ、前記２つの軸孔３０に対応し、前記２つの軸部３２がそれぞれ自由端３２１及び固定端３２２を備えており、且つ、各自由端３２１は同一方向を向いているため、前記２つの軸部３２は同方向且つ同時にそれぞれ前記２つの軸孔３０内にそれぞれ対応して挿入させることができ、前記第二殼体２と前記第一殼体１の連結が完了する。このため、組み立て人員は簡単且つ迅速に組み立て作業を完了することができる。このほか、本発明の枢着構造を成す前記軸孔３０及び軸部３２は、一体成型または組み立て方式でそれぞれ前記第一殼体１及び前記第二殼体２上に設けることができる。
【００１３】
この最良の実施例において、図３に示すように、前記２つの軸部３２のうちいずれかの軸部３２内部にネジ孔３２０を設け、組み立て人員はネジ３４を用いて前記軸部３２とその対応する軸孔３０を固定し緩まないようにすることができる。
【００１４】
前記第一殼体１の第二側面板１２は排気口１２０を備え、且つ、前記第二殼体２の背面板２２は開口２２０を有し、図２に示すように、前記第二殼体２が第一位置にあるとき、前記開口２２０が前記排気口１２０の位置に重なり、これにより前記第二殼体２は周辺装置４を設置することができるだけでなく、図４に示すように、ファンセット５１を備えた電源供給器５の組み込みに最適であり、前記電源供給器５が発生する熱を前記ファンセット５１の作用により前記開口２２０から排出することができる。
【００１５】
重力及び前記枢着構造の関係により、図４に示すように、前記第二殼体２は前記第二位置へと大きく回動させることができるため、コンピュータ使用者がメンテナンスやグレードアップなどの動作を行うとき、前記第二殼体２を安定した状態で作業机表面（図面には示さない）に置くことができ、前記第二殼体２が勝手に回動し手を挟んで傷つけるという心配がない。
【００１６】
上述の例の説明から分かるように、本発明の展開可能なコンピュータ筐体は簡潔な設計の下、製造コストを減少し、組み立て及び製造が容易であるだけでなく、同時に安全且つ便利にメンテナンスやグレードアップを行うことができる組み込み空間を提供する。
【図面の簡単な説明】
【００１７】
【図１】本発明のコンピュータ筐体の最良の実施例の立体分解図である。
【図２】前記最良の実施例の第二殼体が第一位置にある状態を示す立体斜視図である。
【図３】前記最良の実施例の枢着構造の組み立て状態を示す側面断面図である。
【図４】前記最良の実施例の第二殼体が第二位置にある状態を示す立体斜視図である。
【符号の説明】
【００１８】
１        第一殼体
１０      第一側面板
１１      切欠部
１２      第二側面板
１２０    排気口
１４      底板
１５      側辺部
２        第二殼体
２Ａ      組み込み空間
２０      前面板
２２      背面板
２２０    開口
２４      側縁部
３０      軸孔
３２      軸部
３２０    ネジ孔
３２１    自由端
３２２    固定端
４        周辺装置
５        電源供給器
５１      ファンセット
【図１】
2007323519.tif 000003
【図２】
2007323519.tif 000004
【図３】
2007323519.tif 000005
【図４】
2007323519.tif 000006